(57)【要約】    【課題】  複数種類の情報資源を統合管理することで情報内容を閲覧する者の操作上の便宜を図る情報資源共有管理システムにおいて、個人情報、企業秘密等の公開を望まないプライベートデータを、通信ネットワーク上に設置されたサーバに格納する段階で秘匿することによって、信頼性の高い情報資源共有管理システムを提供することにある。    【解決手段】  通信ネットワーク上に設置されたウェブサーバに格納するＸＭＬ形式の情報資源の一部にデータ変換解析を施した上で、それをセンターサーバに出力送信することを特徴とする。【選択図】          図１
2005234759.tif 000002
【特許請求の範囲】
【請求項１】
通信ネットワーク上に設置されたウェブサーバと、データベースサーバと認証サーバよりなるセンターサーバと、による情報資源共有管理システムであって、
前記ウェブサーバにＸＭＬ形式の情報資源を格納するに当たり、前記情報資源の一部にデータ変換解析を施して、前記ウェブサーバと前記データベースサーバに保存することを特徴とする情報資源共有管理システム。
【請求項２】
前記データ変換解析は、前記情報資源のうち秘匿性を有する部分に対する暗号化であることを特徴とする請求項１記載の情報資源共有管理システム。
【請求項３】
前記データ変換解析は、前記情報資源のうち画像・測定データの部分に対する抽象化であることを特徴とする請求項１記載の情報資源共有管理システム。
【請求項４】
請求項１から３のいずれか記載のデータ変換解析を実行し、その実行結果とそのデータ変換解析のメタコードとを前記ウェブサーバと前記データベースサーバに格納することを特徴とするアプリケーションサーバ。
【請求項５】
前記センターサーバからの要求に応じて、前記情報資源をＦＴＰサーバ経由で前記センターサーバに集約格納し、前記センターサーバ内の前記情報資源を前記情報通信端末に対して出力送信することを特徴とする請求項４記載のアプリケーションサーバ。
【請求項６】
通信ネットワーク上の情報処理端末から前記センターサーバへ、前記データ変換解析のメタコードと画像・測定データを伴ったデータ検索要求があった場合において、前記センターサーバに保存された前記情報資源を前記データ変換解析のメタコードを用いてデータ変換解析を行い、その解析結果近傍のものを前記情報処理端末に対して出力送信することを特徴とする請求項４記載のアプリケーションサーバ。
【請求項７】
通信ネットワーク上の情報処理端末から前記センターサーバへ、前記データ変換解析のメタコードと画像・測定データを伴ったデータ検索要求があった場合において、前記センターサーバに保存された前記情報資源を前記データ変換解析のメタコードを用いてデータ変換解析を行うことができないとき、同一グループ内の他のセンターサーバに順次デイジーチェーン方式に検索し、その検索結果を前記情報処理端末に対して出力送信することを特徴とする請求項４記載のアプリケーションサーバ。
【発明の詳細な説明】
【技術分野】
【０００１】
本発明は、複数種類の情報資源を統合管理する情報資源共有管理システム及びそのアプリケーションサーバに関するものであって、特に、個人情報、企業秘密等のプライベートデータを保護するものである。
【背景技術】
【０００２】
従来より、企業や病院など、管理対象となる情報資源が膨大となる機関においては、その情報資源を電子情報化し、それをデータベースとして蓄積し、蓄積された電子情報を検索可能な状態にしておくことで後発の研究開発に役立てている。
【０００３】
例えば、金属機械加工を業務とする企業では、特定の加工対象物について、加工担当者、使用した機材、所要時間、ワークフロー（加工工程）、トラブル例、加工時の留意点等の加工情報を電子情報化・データベース化することで、同じ失敗が繰り返されるのを防止したり、先行技術情報を参考に合理的かつ無駄のない研究開発を行ったりしている。
【０００４】
また、医療業務を遂行する病院では、特定の患者について、氏名、性別、住所、年齢、心電図、血液データ、患部の外観図等の医療情報を電子情報化・データベース化して、同じ病気を患っている患者への最適な治療法の研究・検討を行っている。
【０００５】
このような複数種類の情報資源を統合管理するための電子情報化・データベース化にあたっては、様々なデータ形式でファイル保存されるのが一般であるが、近年、そのデータ形式の統一化を図り、ファイル作成アプリケーションに依存しない柔軟性（互換性）を有するＸＭＬ（eXtensible Markup Language）形式でのファイル保存が盛んになりつつある。
【０００６】
ここで、ＸＭＬとは、ＨＴＭＬ（HyperText Markup Language）のようにタグの内容が固定されているマークアップ言語ではなく、その内容を任意に定義することが可能な拡張型マークアップ言語である。このＸＭＬを利用したＸＭＬ形式で作成された情報資源を共有管理することによって、イントラネット或いはＷＡＮ等の内部ネットワークから、インターネット等の外部ネットワークに情報資源を出力送信する際、他の製品やＸＭＬ形式のデータベース同士の情報の受け渡しが容易となる。すなわち、ＸＭＬ形式で作成された情報資源の共有管理は、その情報資源の種類や存在環境等に拘束されない柔軟かつ統合的な情報管理であるといえる。
【０００７】
例えば、特許文献１で開示された発明によれば、複数種類のプラットホームで広範囲に発生する複数種類の情報資源に対し、その管理目的の種類に応じた任意の情報（ＸＭＬタグ）を定義し、ここで定義されたＸＭＬタグを用いてその情報資源を括り、ＸＭＬデータベースに集中的に格納することによって、一元管理を容易に実現する情報資源共有管理形態が提供されている。
【０００８】
【特許文献１】特開２００２−１７５２９７号公報（図１）
【発明の開示】
【発明が解決しようとする課題】
【０００９】
しかしながら、インターネットを介して特定多数の者の間で情報資源を共有する場合には、個人情報、企業秘密等のプライベートデータは秘匿したい、といった社会的実情がある。
【００１０】
例えば、上述した加工情報についていえば、加工時の留意点などの自社以外で公開共有可能なデータと、加工担当者・加工工程などの自社内で企業秘密に属するデータとに二分され、技術進歩向上に寄与し得る前者のデータは外部（例えば、業務提携企業や自社の子会社など）に公開したいが、プライバシー侵害或いは企業利益に直結し得る後者のデータは秘匿したい、といった実情がある。
【００１１】
また、上述した医療情報についていえば、病名と血液データとの相関関係、患部の外観図などの他の病院に対して公開共有可能なデータと、患者の氏名・住所・年齢などの自己の病院以外で非公開としたい個人データとに二分され、医療の発展に寄与し得る前者のデータは外部（例えば、他の病院や医療研究機関など）に公開したいが、プライバシー侵害に直結する個人情報に関する後者のデータは秘匿したい、といった実情がある。
【００１２】
ここで、前者の公開共有可能なデータのうち、病名と血液データとの相関関係に係るデータについては、公開してもそれほど病院利益には関係しない相関値データ（抽象化データ）は公開してもよいが、病院の利益と直結し得る数値データ（具体的データ）は非公開としたいといった実情もある。
【００１３】
このように、インターネットを介して特定多数の者の間で共有化することで後発の研究開発に役立ち得る情報資源は、公開しても構わないデータと秘匿したいデータとが混在しており、これらのデータを手作業で逐一分離してインターネットに公開するとなると、煩雑な手続を強いられることとなる。
【００１４】
本発明は、このような点に鑑みてなされたものであり、その目的は、複数種類の情報資源を統合管理することで情報内容を閲覧する者の操作上の便宜を図る情報資源共有管理システムにおいて、個人情報、企業秘密等の公開を望まないプライベートデータを、通信ネットワーク上に設置されたサーバに格納する段階で秘匿することによって、信頼性の高い情報資源共有管理システムを提供することにある。
【課題を解決するための手段】
【００１５】
以上のような課題を解決するために、本発明は、通信ネットワーク上に設置されたウェブサーバに格納するＸＭＬ形式の情報資源の一部にデータ変換解析を施した上で、それをセンターサーバに出力送信することを特徴とする。
【００１６】
より具体的には、本発明は、以下のものを提供する。
【００１７】
（１）  通信ネットワーク上に設置されたウェブサーバと、データベースサーバと認証サーバよりなるセンターサーバと、による情報資源共有管理システムであって、前記ウェブサーバにＸＭＬ形式の情報資源を格納するに当たり、前記情報資源の一部にデータ変換解析を施して、前記ウェブサーバと前記データベースサーバに保存することを特徴とする情報資源共有管理システム。
【００１８】
本発明によれば、インターネット、イントラネット、ＷＡＮ等の通信ネットワーク上に設置されたウェブサーバと、データベースサーバと認証サーバよりなるセンターサーバと、とによる情報資源共有管理システムにおいて、ウェブサーバは、ＸＭＬ形式の情報資源の一部に暗号化、抽象化、解析化等のデータ変換解析を施したものを格納し、それをウェブサーバとデータベースサーバに保存することとしたから、このセンターサーバのデータベースサーバに格納される情報資源の一部は、種々のデータ変換解析が施されたものとなる。
【００１９】
従って、後発の研究開発に資する情報の提供を行うセンターサーバは、情報要求をする者に対し、個人情報、企業秘密等のプライベートデータを秘匿・抽象化した上で情報提供を行うことができ、ひいては信頼性の高い情報資源共有管理システムを構築することができる。
【００２０】
また、公開を望まないプライベートデータの秘匿・抽象化は、コンピュータによって自動化されていることから、公開しても構わないデータと秘匿したいデータを手作業で逐一分離してインターネット公開する、といった煩雑な作業を回避して情報資源の共有管理を行うことが可能となる。
【００２１】
（２）  前記データ変換解析は、前記情報資源のうち秘匿性を有する部分に対する暗号化であることを特徴とする（１）記載の情報資源共有管理システム。
【００２２】
本発明によれば、上述したデータ変換解析は、情報資源のうち秘匿性を有する部分に対する暗号化であることから、例えば、病院患者の氏名・住所といった秘匿性を有する文字データを実質的に非公開とすることができ、ひいては信頼性の高い情報資源共有管理システムを構築することができる。
【００２３】
（３）  前記データ変換解析は、前記情報資源のうち画像・測定データの部分に対する抽象化であることを特徴とする（１）記載の情報資源共有管理システム。
【００２４】
本発明によれば、上述したデータ変換解析は、情報資源のうち画像・測定（数値）データに対する抽象化であることから、例えば、病名と血液データとの相関関係に係る具体的数値データを実質的に非公開とすることができ、ひいては信頼性の高い情報資源共有管理システムを構築することができる。
【００２５】
（４）  （１）から（３）のいずれか記載のデータ変換解析を実行し、その実行結果とそのデータ変換解析のメタコードとを前記ウェブサーバと前記データベースサーバに格納することを特徴とするアプリケーションサーバ。
【００２６】
本発明によれば、上述したデータ変換解析を実行し、その実行結果とそのデータ変換解析のメタコードとをウェブサーバに格納するアプリケーションサーバによって、データ変換解析の実行結果をウェブサーバとデータベースサーバに格納することも含めてコンピュータによる自動化を行うことができ、ひいては信頼性の高い情報資源共有管理システムを構築することができる。
【００２７】
（５）  前記センターサーバからの要求に応じて、前記情報資源をＦＴＰサーバ経由で前記センターサーバに集約格納し、前記センターサーバ内の前記情報資源を前記情報通信端末に対して出力送信することを特徴とする（４）記載のアプリケーションサーバ。
【００２８】
本発明によれば、センターサーバからの要求に応じて、情報資源をＦＴＰサーバ経由でセンターサーバに集約格納し、さらに、センターサーバ内に集約格納された情報資源を利用者の有する情報通信端末に出力送信するアプリケーションサーバによって、センターサーバへの情報資源の集約格納、及び情報通信端末への情報資源の出力送信を含めてコンピュータによる自動化を行うことができ、ひいては信頼性の高い情報資源共有管理システムを構築することができる。
【００２９】
（６）  通信ネットワーク上の情報処理端末から前記センターサーバへ、前記データ変換解析のメタコードと画像・測定データを伴ったデータ検索要求があった場合において、前記センターサーバに保存された前記情報資源を前記データ変換解析のメタコードを用いてデータ変換解析を行い、その解析結果近傍のものを前記情報処理端末に対して出力送信することを特徴とする（４）記載のアプリケーションサーバ。
【００３０】
本発明によれば、通信ネットワーク上の情報処理端末からセンターサーバに対し、データ変換解析のメタコードと画像・測定データを伴ったデータ検索要求があった場合において、センターサーバに保存されたＸＭＬ形式の情報資源を、メタコードを用いてデータ変換解析を行い、その解析結果近傍のものを情報処理端末に対して出力送信するアプリケーションサーバによって、信頼性の高い情報資源共有管理システムを構築することができる。
【００３１】
（７）  通信ネットワーク上の情報処理端末から前記センターサーバへ、前記データ変換解析のメタコードと画像・測定データを伴ったデータ検索要求があった場合において、前記センターサーバに保存された前記情報資源を前記データ変換解析のメタコードを用いてデータ変換解析を行うことができないとき、同一グループ内の他のセンターサーバに順次デイジーチェーン方式によって検索をかけ、その検索結果を前記情報処理端末に対して出力送信することを特徴とする（４）記載のアプリケーションサーバ。
【００３２】
本発明によれば、通信ネットワーク上の情報処理端末からセンターサーバに対し、データ変換解析のメタコードと画像・測定データを伴ったデータ検索要求があった場合において、センターサーバに保存されたＸＭＬ形式の情報資源を、メタコードを用いてデータ変換解析を行うことができないとき、同一グループ内の他のセンターサーバに順次デイジーチェーン方式によって検索をかけ、その検索結果を情報処理端末に対して出力送信するアプリケーションサーバによって、信頼性の高い情報資源共有管理システムを構築することができる。
【発明の効果】
【００３３】
本発明に係る情報資源共有管理システムは、以上説明したように、ウェブサーバに、ＸＭＬ形式の情報資源の一部にデータ変換解析を施したものを格納し、それをセンターサーバとデータベースサーバに保存するという構成になっており、個人情報、企業秘密等の公開を望まないプライベートデータを、通信ネットワーク上に設置されたサーバに格納する段階で秘匿することができ、ひいては高い信頼性を確保することが可能となる。
【発明を実施するための最良の形態】
【００３４】
以下、本発明を実施するための最良の形態について、図面を参照しながら説明する。
【００３５】
［第１のシステム概要］
図１は、本発明の実施の形態に係る第１の情報資源共有管理システムのシステム概要を示す図である。なお、本実施形態においては、共有管理する情報資源として医療情報を挙げているが、本発明はこれに限られず、如何なる情報資源であっても構わない。
【００３６】
図１において、本発明の実施の形態に係る第１の情報資源共有管理システムは、センターサーバ１と、複数のクライアントＰＣ３とがインターネット１００を介して接続されている。また、センターサーバ１と、イントラネット２００内のウェブサーバ２とがインターネット１００を介して接続されている。そして、ウェブサーバ２は、イントラネット２００内のデータサーバ４に接続されており、そのデータサーバ４には、院内ＰＣ５と、検査装置６と、院内ＤＢ（データベース）７とが接続されている。
【００３７】
センターサーバ１は、複数のクライアントＰＣ３から情報提供要求があった場合に、本人確認を行った上で所望の情報の提供をするものである。ここで、クライアントＰＣ３は、情報通信端末の一例であり、例えば携帯電話、ＰＤＡ、ＰＨＳなど、インターネット上の情報を送受信できる通信端末であれば、その種類の如何を問わない。また、インターネット１００は、通信ネットワークの一例を示したものであり、例えばＷＡＮなど、デジタル情報の送受信を可能にせしめるネットワーク全てを含むものとする。
【００３８】
イントラネット２００内のウェブサーバ２は、ＸＭＬ形式の情報資源を格納するものであり、その際、その情報資源の一部にデータ変換解析を施した上で格納し、そのデータ変換解析が施された情報資源をセンターサーバ１に対して出力送信する。また、イントラネット２００内のデータサーバ４は、イントラネット２００内の情報資源を集約するものであり、例えば病院内の個々の医師が保有している院内ＰＣ５や、磁気共鳴画像診断装置（ＭＲＩ），医用Ｘ線ＣＴ装置，血液検査機器などの検査装置６や、病院内で蓄積された院内ＤＢ７に存在する情報資源を集約する。なお、本実施形態では、データサーバ４は、院内ＰＣ５、検査装置６、院内ＤＢ７等の電子機器或いは電子ＤＢからの情報資源を集約することとしたが、例えばＦＤやＣＤ等の記憶媒体など、これら以外のものからの情報資源を集約することとしてもよい。
【００３９】
［サーバのハードウェア構成］
図２は、本発明の実施の形態に係る第１の情報資源共有管理システムにおけるウェブサーバ２のハードウェア構成を示すブロック図である。
【００４０】
図２において、本発明の実施の形態に係る第１の情報資源共有管理システムにおけるウェブサーバ２は、主制御部２１と、医療ＤＢ２２と、データ変換解析部２３と、通信処理部２４と、認証部２５と、認証データ格納部２６と、から構成されている。なお、本発明の実施の形態に係る情報資源共有管理システムにおけるセンターサーバ１のハードウェア構成は、データ変換解析部２３を有していない点を除き、基本的にウェブサーバ２のハードウェア構成と同様であるので、その説明を省略する。
【００４１】
主制御部２１は、所定の処理シーケンスに従いウェブサーバ２のシステム全体の総合的な情報処理を担う中央処理回路（ＣＰＵ）や、ネットワーク管理プログラム等の格納庫として機能するＲＯＭや、主メモリ或いはワークメモリとして機能するＲＡＭ等により構成されており、医療ＤＢに対して情報資源の格納・読み出しを行ったり、データ変換解析部２３に対して情報資源の受け渡しを行う。また、医療ＤＢ２２は、膨大な情報資源を格納・蓄積可能なＨＤにより構成されており、主制御部２１の指令に従い情報資源の受け渡しを行う。
【００４２】
データ変換解析部２３は、サブＣＰＵ等の情報処理ユニットにより構成され、情報資源を含むファイルのデータ変換解析を行う。より具体的には、データサーバ４に格納されている情報資源（生データ）をＸＭＬデータ構造とＸＳＬデータ表現形式で括り、それによって得られたＸＭＬ形式の情報資源を医療ＤＢ２２に格納するにあたり、例えば、秘匿性を有する部分に対して暗号化を行ったり、画像・測定データの部分に対して抽象化を行ったりする。これより、秘匿性したい文字データや、秘匿したい具体的数値データ・画像データを実質的に非公開とすることができ、ひいては信頼性の高い情報資源共有管理システムを構築することが可能となる。
【００４３】
ここで、暗号化する手法としては、例えばＲＳＡなど、様々な手法があるが、本発明はこれらの如何なる暗号化手法であっても構わない。また、抽象化する手法としては、例えば実測値データのグラフ化、グラフの軸メモリの秘匿化、類似群による画像データの分類化など、様々な手法があるが、本発明はこれらの如何なる抽象化手法であっても構わない。
【００４４】
通信処理部２４は、主にＮＩＣ等のインターフェースにより構成され、イントラネット２００内のデータサーバ４から受信した情報資源を含むファイルを主制御部２１に送信する一方で、主制御部２１及びデータ変換解析部２３によって所定の変換解析が施された情報資源をセンターサーバ１に向けて送信する。なお、この通信処理部２４は、ルータ（図示せず）を介してインターネット１００に接続されている。
【００４５】
認証部２５は、複数のＩＣにより構成され、ウェブサーバ２にアクセス権限を有する者のアクセスのみを受け付ける役目を担う。より具体的には、ウェブサーバ２へのログイン時に、通信処理部２４を介して利用者ＩＤ及びパスワードを要求し、その要求に応じて受信した利用者ＩＤ及びパスワードを認証データ格納部２６に格納されたデータと照らし合わせ、アクセス権限を有する者であると判断した場合には、通信処理部２４に情報資源の受け渡しに関する通信許可指令を送信する。
【００４６】
［第１システムの情報処理の流れ］
図３は、本発明の実施の形態に係る第１の情報資源共有管理システムの情報処理の流れを示すフローチャートである。
【００４７】
図３において、まず、データサーバ登録処理が行われる（ステップＳ３１）。より具体的には、医師によって患者の医療データが入力された院内ＰＣ５、ＭＲＩ等の診断によって得られた画像データ画入力された検査装置６、長年の医療データが蓄積された院内ＤＢ７等からデータサーバ４に対して情報資源（生データ）が送信され、データサーバ４内のメモリ（図示せず）に登録・蓄積される。
【００４８】
次いで、ウェブサーバ受信処理が行われる（ステップＳ３２）。より具体的には、ウェブサーバ２は、ステップＳ３１で登録された情報資源をデータサーバ４から受信する。なお、本処理は、ステップＳ３１の処理と同時に行われてもよいし、ステップＳ３１の処理が行われた後に随時所定のタイミングで行われてもよい。
【００４９】
また、ステップＳ３１で登録された情報資源をデータサーバ４から受信する前提として、認証処理が行われる。より具体的には、ウェブサーバ２内の認証部２５及び認証データ格納部２６の各機能に基づき、データサーバ４から送られてきた情報が、アクセス権限を有する者による情報か否かを判断し、アクセス権限を有する者による情報でない場合には受信拒否を行う。
【００５０】
次いで、データ変換解析処理が行われる（ステップＳ３３）。より具体的には、ウェブサーバ２内の主制御部２１は、通信処理部２４がステップＳ３２の処理によって受信した情報資源をデータ変換解析部２３に転送する。そして、データ変換解析部２３において、この情報資源をＸＭＬデータ構造とＸＳＬデータ表現形式で括り、それによって得られたＸＭＬ形式の情報資源に対し、秘匿性を有する部分に対して暗号化が行われ、また、画像・測定データの部分に対して抽象化が行われる。
【００５１】
次いで、医療ＤＢ登録処理が行われる（ステップＳ３４）。より具体的には、主制御部２１は、ステップＳ３３でデータ変換解析が施されたＸＭＬ形式の情報資源を医療ＤＢ２２に格納・蓄積する。
【００５２】
最後に、センターサーバ登録処理が行われる（ステップＳ３５）。より具体的には、まず、ウェブサーバ２内の主制御部２１は、ステップＳ３４の処理によって医療ＤＢ２２に蓄積されたＸＭＬ形式の情報資源を読み出し、センターサーバ１に対して送信する。そして、センターサーバ１は、当該情報資源をウェブサーバ２から受信し、自己の医療ＤＢに登録する。
【００５３】
この際、当該情報資源がＸＭＬ形式である関係上、センターサーバ１にはＸＭＬデータと書式ＸＳＬの双方が登録されており、一定の者のみが当該情報資源にアクセス可能な状態となっている。加えて、上述したステップＳ３３によって秘匿性を有する部分にはデータ変換解析処理が施されていることから、クライアントＰＣ３から情報提供要求があった場合であっても、個人情報や企業秘密等のプライベートデータを秘匿・抽象化した上で情報提供が行うことが可能となる。そのため、信頼性の高い情報資源共有管理システムを構築することが可能となる。
【００５４】
［第２のシステム概要］
図４は、本発明の実施の形態に係る第２の情報資源共有管理システムのシステム概要を示す図である。
【００５５】
図４において、本発明の実施の形態に係る第２の情報資源共有管理システムは、イントラネット２００ａ内のウェブサーバ２ａと、イントラネット２００ｂ内のウェブサーバ２ｂと、イントラネット２００ｃ内のウェブサーバ２ｃと、がインターネット１００を介して相互に接続されている。
【００５６】
ここで、複数のウェブサーバ２ａ，２ｂ，２ｃのうち少なくとも１つは、請求項１記載のセンターサーバとして機能する。これにより、本発明の実施の形態に係る第２の情報資源共有管理システムは、一旦センターサーバ１に情報資源の集約を行って情報公開する第１のシステム（センター型システム）とは異なり、個々のウェブサーバ２同士が情報資源の集約・提供を行うローカル型の情報資源共有管理システムとなる。なお、サーバのハードウェア構成は上述したとおりであるので、その説明を省略する。
【００５７】
［第２システムの情報処理の流れ］
図５は、本発明の実施の形態に係る第２の情報資源共有管理システムの情報処理の流れを示すフローチャートである。
【００５８】
図５において、本発明の実施の形態に係る第２の情報資源共有管理システムの情報処理のうち、ステップＳ５１〜Ｓ５４までの処理は、上述したステップＳ３１〜Ｓ３４までの処理と同様である。より具体的には、データサーバ登録処理（ステップＳ５１）、ウェブサーバ受信処理（ステップＳ５２）、データ変換解析処理（ステップＳ５３）、医療ＤＢ登録処理（ステップＳ５４）が順次行われる。
【００５９】
次いで、情報資源送信処理が行われる（ステップＳ５５）。より具体的には、クライアントＰＣ３からイントラネット２００ａ内のウェブサーバ２ａに対して情報提供要求があった場合に、その情報提供要求に係る情報資源がウェブサーバ２ａ内の医療ＤＢ２２に存在すれば、ウェブサーバ２ａは、クライアントＰＣ３に対してその情報資源を送信する。
【００６０】
一方で、その情報提供要求に係る情報資源がウェブサーバ２ａ内の医療ＤＢ２２に存在しなければ、ウェブサーバ２ａは、ウェブサーバ２ｂ或いはウェブサーバ２ｃに対してその情報資源を持っているか否かの確認要求を行う。そして、いずれか一方のウェブサーバがその情報資源を持っている場合には、ウェブサーバ２ａは、そのウェブサーバからその情報資源を受信し、その情報資源をクライアントＰＣ３に転送する。これより、クライアントＰＣ３の情報提供要求を満足することが可能となる。
【００６１】
なお、これら一連の処理は、ウェブサーバ内の主制御部２１（ＲＯＭ）に組み込まれた制御プログラムによって実行される。また、各ウェブサーバ２ａ，２ｂ，２ｃの医療ＤＢ２２には、個人情報や企業秘密等のプライベートデータを秘匿・抽象化した情報資源が格納されていることから、クライアントＰＣ３の保有者が個人情報や企業秘密等のプライベートデータを視認する可能性を排除でき、ひいては信頼性の高い情報資源共有管理システムを構築することが可能となる。
【００６２】
［第３のシステム概要］
図６は、本発明の実施の形態に係る第３の情報資源共有管理システムのシステム概要を示す図である。
【００６３】
図６において、本発明の実施の形態に係る第３の情報資源共有管理システムは、センターサーバ１と、複数のクライアントＰＣ３とがインターネット１００を介して接続されている。また、センターサーバ１と、イントラネット２００内のウェブサーバ２とがインターネット１００を介して接続されている。そして、イントラネット２００内では、ウェブサーバ２とデータサーバ４とがアプリケーションサーバ８を介して接続され、データサーバ４には、院内ＰＣ５と、検査装置６と、院内ＤＢ（データベース）７とが接続されている。
【００６４】
図６に示す第３の情報資源共有管理システムは、図１に示す第１の情報資源共有管理システムにおいて行われる処理動作の一部を、アプリケーションサーバ８が担うシステムである。なお、アプリケーションサーバ８のハードウェア構成は、上述したウェブサーバ２のハードウェア構成と同様である。
【００６５】
［第３システムの情報処理の流れ］
図７は、本発明の実施の形態に係る第３の情報資源共有管理システムの情報処理の流れを示すフローチャートである。
【００６６】
図７において、まず、データサーバ登録処理が行われる（ステップＳ７１）。より具体的には、院内ＰＣ、検査装置６、院内ＤＢ７からデータサーバ４に対して情報資源（生データ）が送信され、データサーバ４内のメモリ（図示せず）に登録・蓄積される。
【００６７】
次いで、アプリケーションサーバ受信処理が行われる（ステップＳ７２）。より具体的には、アプリケーションサーバ８は、ステップＳ７１で登録された情報資源をデータサーバ４から受信する。なお、本処理は、ステップＳ７１の処理と同時に行われてもよいし、ステップＳ７１の処理が行われた後に随時所定のタイミングで行われてもよい。
【００６８】
また、ステップＳ７１で登録された情報資源をデータサーバ４から受信する前提として、認証処理が行われる。より具体的には、アプリケーションサーバ８内の認証部２５及び認証データ格納部２６の各機能に基づき、データサーバ４から送られてきた情報が、アクセス権限を有する者による情報か否かを判断し、アクセス権限を有する者による情報でない場合には受信拒否を行う。
【００６９】
次いで、データ変換解析処理が行われる（ステップＳ７３）。より具体的には、アプリケーションサーバ８内の主制御部２１は、通信処理部２４がステップＳ７２の処理によって受信した情報資源をデータ変換解析部２３に転送する。そして、データ変換解析部２３において、この情報資源をＸＭＬデータ構造とＸＳＬデータ表現形式で括り、それによって得られたＸＭＬ形式の情報資源に対し、秘匿性を有する部分に対して暗号化が行われ、また、画像・測定データの部分に対して抽象化が行われる。
【００７０】
次いで、ウェブサーバ格納処理が行われる（ステップＳ７４）。より具体的には、アプリケーションサーバ８は、ステップＳ７３でデータ変換解析処理が施された情報資源をウェブサーバ２に対して送信する。また、アプリケーションサーバ８は、ウェブサーバ２に対して送信した情報資源を、ウェブサーバ２内の医療ＤＢ２２に格納・蓄積する。このとき、ステップＳ７３のデータ変換解析処理の際に用いられたメタコードを一緒に（画像・測定データとセットでオブジェクト化して）格納・蓄積する。メタコードの具体例としては、例えば、図８（ａ）に示すように、ＣＣＤによる自動細胞判別等の応用分野においてテクスチャ解析を行う場合には、模様分布の領域判別等を行うことから、画像空間・特徴空間でのクラスタ化等に係るメタコードが考えられる。また、ＣＣＤによる自動文字・輪郭形状判別等の応用分野において幾何抽出を行う場合には、エッジ細線化等を行うことから、要素検出・線分の強調等に係るメタコードが考えられる（図８（ａ））。さらに、ＣＣＤによる自動ＮＣ位置決め等の応用分野においてパターンマッチを行う場合には、標本似の探索等を行うことから、相関法・ＳＳＤＡ法等に係るメタコードが考えられる（図８（ａ））。なお、図８（ｂ）に、画像処理名に対する具体的な解法コマンド名のサンプル一覧を示す。
【００７１】
最後に、センターサーバ登録処理が行われる（ステップＳ７５）。より具体的には、まず、ウェブサーバ２内の主制御部２１は、ステップＳ７４の処理によって医療ＤＢ２２に蓄積されたＸＭＬ形式の情報資源とメタコードを読み出し、センターサーバ１に対して送信する。そして、センターサーバ１は、当該情報資源をウェブサーバ２から受信し、自己の医療ＤＢに登録する。
【００７２】
ここで、センターサーバ１に対してＸＭＬ形式の情報資源を送信するにあたって、アプリケーションサーバ８の機能に基づきＦＴＰサーバを経由することとしてもよい。より具体的には、アプリケーションサーバ８は、センターサーバ１からの要求に応じて、ウェブサーバ２内の医療ＤＢ２２に格納されたＸＭＬ形式の情報資源をＦＴＰサーバ経由でセンターサーバ１に集約格納する。このように、ＦＴＰサーバを経由することによって、ソフトウェアモジュール等の情報資源をセンターサーバに集約格納することが容易となる。
【００７３】
以上説明したような第３の情報資源共有管理システムによれば、データ変換解析の実行結果をウェブサーバ２に格納することをアプリケーションサーバ８に任せることが可能となり、コンピュータによる自動化が実現する。
【００７４】
なお、図６において、クライアントＰＣ３からセンターサーバ１へ、ステップＳ７３におけるデータ変換解析処理のメタコードと画像・測定データを伴ったデータ検索要求があった場合には、アプリケーションサーバ８は、センターサーバ１に保存された情報資源をステップＳ７３におけるデータ変換解析処理のメタコードを用いてデータ変換解析を行い、その解析結果近傍のものをクライアントＰＣ３に対して出力送信することもできる。これにより、システムの信頼性を維持しつつ、クライアントＰＣ３からのデータ検索要求に迅速に応えることができる。
【００７５】
また、図６において、クライアントＰＣ３からセンターサーバ１へ、ステップＳ７３におけるデータ変換解析処理のメタコードと画像・測定データを伴ったデータ検索要求があった場合には、アプリケーションサーバ８は、センターサーバ１に保存された情報資源をステップＳ７３におけるデータ変換解析処理のメタコードを用いてデータ変換解析を行うことができないとき（データ変換解析すべき対象が存在しないとき）、同一グループ内の他のセンターサーバ（図示せず）に順次デイジーチェーン方式によって検索をかけ、その検索結果をクライアントＰＣ３に対して出力送信することもできる。これにより、センターサーバ１内に所望の画像・測定データが存在しない場合であっても、システムの信頼性を維持しつつ、クライアントＰＣ３からのデータ検索要求に迅速に応えることが可能になる。
【産業上の利用可能性】
【００７６】
本発明に係る情報資源共有管理システムは、インターネットを介して特定多数の者の間で情報資源を共有する場合に、個人情報、企業秘密といったプライベートデータを秘匿管理するシステムとして有用である。
【図面の簡単な説明】
【００７７】
【図１】本発明の実施の形態に係る第１の情報資源共有管理システムのシステム概要を示す図である。
【図２】本発明の実施の形態に係る第１の情報資源共有管理システムにおけるウェブサーバのハードウェア構成を示すブロック図である。
【図３】本発明の実施の形態に係る第１の情報資源共有管理システムの情報処理の流れを示すフローチャートである。
【図４】本発明の実施の形態に係る第２の情報資源共有管理システムのシステム概要を示す図である。
【図５】本発明の実施の形態に係る第２の情報資源共有管理システムの情報処理の流れを示すフローチャートである。
【図６】本発明の実施の形態に係る第３の情報資源共有管理システムのシステム概要を示す図である。
【図７】本発明の実施の形態に係る第３の情報資源共有管理システムの情報処理の流れを示すフローチャートである。
【図８】データ変換解析処理の際に用いられるメタコードの一例を説明するための説明図である。
【符号の説明】
【００７８】
１  センターサーバ
２  ウェブサーバ
３  クライアントＰＣ
４  データサーバ
５  院内ＰＣ
６  検査装置
７  院内ＤＢ
【図１】
2005234759.tif 000003
【図２】
2005234759.tif 000004
【図３】
2005234759.tif 000005
【図４】
2005234759.tif 000006
【図５】
2005234759.tif 000007
【図６】
2005234759.tif 000008
【図７】
2005234759.tif 000009
【図８】
2005234759.tif 000010